(57)【要約】【課題】新たな温度調整用の装置を要することなく、装置内温度の上昇に起因する画像形成に対する悪影響を防止することのできる画像形成装置を提供する。【解決手段】発光手段に対して、形成対象とする画像を示すと共に発光量が画像を構成する所定の領域毎に数値で示されている画像情報に基づき、形成対象とする画像を記録媒体に形成するための発光である第１の発光をするように制御し、更に画像が記録媒体に形成されない状態での発光であり、各発光素子毎の発光量と第１の発光における各発光素子毎の発光量との和を全ての発光素子で等しくする発光である第２の発光をするように制御する制御手段と、を有する。【選択図】図７
2008185651.tif 000002
【特許請求の範囲】
【請求項１】
像保持体と、
前記像保持体に対して発光することで前記像保持体に画像に応じた静電潜像を形成する複数の発光素子を備えた発光手段と、
前記静電潜像をトナーで現像する現像手段と、
前記現像手段により現像された前記像保持体に圧接されて前記トナーが転写され、転写されたトナーにより記録媒体に画像を形成する転写媒体と、
前記発光手段に対して、形成対象とする画像を示すと共に前記発光量が前記画像を構成する所定の領域毎に数値で示されている画像情報に基づき、前記形成対象とする画像を記録媒体に形成するための発光である第１の発光をするように制御し、更に画像が前記記録媒体に形成されない状態での発光であり、各発光素子毎の発光量と前記第１の発光における各発光素子毎の発光量との和を全ての発光素子で等しくする発光である第２の発光をするように制御する制御手段と、
を有する画像形成装置。
【請求項２】
前記制御手段は、前記画像情報が示す各所定の領域における発光量に加えたときに予め定められた上限の発光量となる発光量を各所定の領域における発光量とした画像情報である反転画像情報に基づき、前記第２の発光における発光量を制御する請求項１に記載の画像形成装置。
【請求項３】
前記制御手段は、前記画像情報が示す各所定の領域における発光量に基づき、前記第１の発光において各発光素子が発光する発光量を各発光素子毎に求め、該発光量を所定の値から減算して得られる発光量を、前記第２の発光における発光量として前記発光素子を発光するように制御する請求項１に記載の画像形成装置。
【請求項４】
前記制御手段は、前記画像情報が示す各所定の領域における発光量に基づき、前記第１の発光において各発光素子が発光する発光量を各発光素子毎に求め、該発光量を所定の値から減算して得られる発光量を予め定められた上限の発光量で除算して得られる商と剰余とを各発光素子毎に求め、前記第２の発光では、前記発光素子を前記商の回数だけ予め定められた上限の発光量で発光させ、前記剰余が示す発光量で前記発光素子を発光するように制御する請求項１に記載の画像形成装置。
【請求項５】
前記所定の値は、各発光素子毎に求められた前記発光量のうち、最も大きい発光量である請求項３又は請求項４に記載の画像形成装置。
【請求項６】
前記制御手段は、前記発光素子のうち、当該画像形成装置内の他の部品により発光素子の温度が影響される発光素子については、前記第２の発光における発光量を前記影響の度合いを相殺する発光量に制御する請求項１から請求項５のいずれか１項に記載の画像形成装置。
【発明の詳細な説明】
【技術分野】
【０００１】
本発明は、画像形成装置に関する。
【背景技術】
【０００２】
複写機やプリンタやファクシミリ装置などの画像形成装置においては、例えばＬＥＤプリントヘッド（以下、ＬＰＨと記す。）を書込み光学系として備えている。このＬＰＨにより、感光体ドラムに画像を露光して静電潜像が形成される。
【０００３】
このようなＬＰＨを用いる画像形成装置では、発熱対策が重要な問題となっている。ＬＥＤを発光させると熱が発生し、光量が低下する。そのため、例えば片方だけ画像密度が大きく偏っているイメージを印刷し続けると、主走査方向に光量差が出ることがある。
【０００４】
またこのとき、発光箇所及び発光量によって熱膨張量が部分的に異なることがある。これにより、形成された画像が主走査方向の部分倍率色ズレや全倍率色ズレを起こす場合があり、高画質な画像を得ることができない。
【０００５】
このような発熱対策として、冷却ファンを設けることが有効な対策として知られている。特許文献１ではＬＰＨの温度を機内温度センサで検出し、画像データから次頁の画像面積の割合を算出して３レベルに分類し、各レベルに応じて、次頁の画像を書込むときに現在の機内温度を維持するかあるいは所定の温度を加算するかによってプリントヘッド近傍の機内温度を予測し、予測温度が機内温度以上であるか否かに応じて冷却ファン用モータを駆動する技術が開示されている。
【０００６】
また特許文献２には、ＬＥＤアレイにヒーターを設け、ＬＥＤアレイ全体を均一の温度に保つ技術が開示されている。更に、特許文献３には、ペルチェをＬＥＤアレイに設けて温度制御する構成が開示されている。
【０００７】
また、特許文献４では部分的な温度上昇を抑えるために、温風を吹き付け、熱膨張していない部分の温度を上昇させて、ＬＰＨの熱膨張量を全長に渡って均一にする技術が開示されている。
【特許文献１】特開２００５−２１５４３２号公報
【特許文献２】特開平１０−０１６２９３号公報
【特許文献３】特開２００２−１９６４２７号公報
【特許文献４】特開２００６−８２２４９号公報
【発明の開示】
【発明が解決しようとする課題】
【０００８】
しかしながら、特許文献１に開示された技術では、冷却ファンによる風切音が騒音を発生するという問題点がある。また、特許文献２に開示された技術で用いられるヒーター、及び特許文献３に開示された技術で用いられるペルチェは消費電力が大きいという問題点がある。更に特許文献４に開示された技術では、温風を出すファン等の他の装置が必要であり、更に温風により機内全体の温度を上昇させるため、それに伴いレジストレーションのずれやトナー凝固など、画像形成に悪影響を与える可能性があるという問題点がある。
【０００９】
このように従来の技術では、温度を調整するための装置が必要であったり、或いは画像形成に悪影響を及ぼすという問題点があった。
【００１０】
本発明は上記問題点に鑑み、新たな温度調整用の装置を要することなく、装置内温度の上昇に起因する画像形成に対する悪影響を防止することのできる画像形成装置を提供することを目的とする。
【課題を解決するための手段】
【００１１】
上記目的を達成するために、請求項１の発明は、像保持体と、前記像保持体に対して発光することで前記像保持体に画像に応じた静電潜像を形成する複数の発光素子を備えた発光手段と、前記静電潜像をトナーで現像する現像手段と、前記現像手段により現像された前記像保持体に圧接されて前記トナーが転写され、転写されたトナーにより記録媒体に画像を形成する転写媒体と、前記発光手段に対して、形成対象とする画像を示すと共に前記発光量が前記画像を構成する所定の領域毎に数値で示されている画像情報に基づき、前記形成対象とする画像を記録媒体に形成するための発光である第１の発光をするように制御し、更に画像が前記記録媒体に形成されない状態での発光であり、各発光素子毎の発光量と前記第１の発光における各発光素子毎の発光量との和を全ての発光素子で等しくする発光である第２の発光をするように制御する制御手段と、を有する。
【００１２】
なお、本発明は、請求項２の発明ように、前記制御手段は、前記画像情報が示す各所定の領域における発光量に加えたときに予め定められた上限の発光量となる発光量を各所定の領域における発光量とした画像情報である反転画像情報に基づき、前記第２の発光における発光量を制御するようにしても良い。
【００１３】
なお、本発明は、請求項３の発明ように、前記制御手段は、前記画像情報が示す各所定の領域における発光量に基づき、前記第１の発光において各発光素子が発光する発光量を各発光素子毎に求め、該発光量を所定の値から減算して得られる発光量を、前記第２の発光における発光量として前記発光素子を発光するように制御するようにしても良い。
【００１４】
なお、本発明は、請求項４の発明ように、前記制御手段は、前記画像情報が示す各所定の領域における発光量に基づき、前記第１の発光において各発光素子が発光する発光量を各発光素子毎に求め、該発光量を所定の値から減算して得られる発光量を予め定められた上限の発光量で除算して得られる商と剰余とを各発光素子毎に求め、前記第２の発光では、前記発光素子を前記商の回数だけ予め定められた上限の発光量で発光させ、前記剰余が示す発光量で前記発光素子を発光させるように制御するようにしても良い。
【００１５】
なお、本発明は、請求項５の発明ように、前記所定の値は、各発光素子毎に求められた前記発光量のうち、最も大きい発光量であるようにしても良い。
【００１６】
なお、本発明は、請求項６の発明ように、前記制御手段は、前記発光素子のうち、当該画像形成装置内の他の部品により発光素子の温度が影響される発光素子については、前記第２の発光における発光量を前記影響の度合いを相殺する発光量に制御するようにしても良い。
【発明の効果】
【００１７】
本発明によれば、新たな温度調整用の装置を要することなく、装置内温度の上昇に起因する画像形成に対する悪影響を防止することのできる画像形成装置を提供することができるという効果が得られる。
【発明を実施するための最良の形態】
【００１８】
以下、図面を参照して、本発明の実施の形態について詳細に説明する。
【００１９】
図１には、本発明が適用された画像形成装置１０の全体構成が示されている。図１に示すように、画像形成装置１０は、矢印Ａ方向に定速回転する感光体ドラム（像保持体）１２を備えている。なお、この感光体ドラム１２の回転方向（矢印Ａ）が副走査方向に対応する。
【００２０】
この感光体ドラム１２の周囲には、感光体ドラム１２の回転方向に沿って、帯電器１４、ＬＥＤプリントヘッド（以下、「ＬＰＨ」という）１６、現像器１８、転写ローラ２０、クリーナ（図示省略）、イレーズランプ（図示省略）が順に配設されている。
【００２１】
このうち、ＬＰＨ１６は、感光体ドラム１２に対して発光することで前記感光体ドラム１２に画像に応じた静電潜像を形成する複数の発光素子を備えたものである。
【００２２】
すなわち、感光体ドラム１２は、帯電器１４によって表面が一様に帯電された後、ＬＰＨ１６によって光ビームが照射されて、感光体ドラム１２上に潜像が形成される。なお、ＬＰＨ１６は、不図示の制御装置等と接続されており、この制御装置等により制御されて画像データに基づいて光ビームを出力する。
【００２３】
感光体ドラム１２上に形成された潜像には、静電潜像をトナーで現像する現像器１８によってトナーが供給されて現像され、感光体ドラム１２上にトナー像が形成される。転写ローラ２０は、現像器１８により現像された前記感光体ドラムに圧接されて前記トナーが転写され、転写されたトナーにより記録媒体に画像を形成する。
【００２４】
具体的に、転写されたトナーは、用紙トレイ２４から１枚ずつ取出されて、用紙搬送ベルト２６によって搬送されてきた用紙２８に転写される。転写後に感光体ドラム１２に残留しているトナーはクリーナ（図示省略）によって除去され、イレーズランプ（図示省略）によって除電された後、再び帯電器１４によって帯電されて、同様の処理を繰り返す。
【００２５】
一方、トナー像が転写された用紙２８は、加圧ローラ３０Ａと加熱ローラ３０Ｂからなる定着器３０に搬送されて定着処理が施される。これにより、トナー像が定着されて、用紙２８上に所望の画像が形成される。画像が形成された用紙２８は装置外へ排出される。
【００２６】
次に、ＬＰＨ１６の構成を詳しく説明する。図２にＬＰＨ１６の断面図を示す。図２に示すように、ＬＰＨ１６は、ＬＥＤアレイ４０と、ＬＥＤアレイ４０を支持するとともに、ＬＥＤアレイ４０の駆動を制御する各種信号を供給するための回路が形成されたプリント基板４２と、ＬＥＤアレイ４０から出射した光を感光体ドラム１２上に結像させるためのセルフォックレンズアレイ４４と、を備えている。
【００２７】
ＬＥＤアレイ４０は、複数のＬＥＤ（本実施の形態では自己走査型ＬＥＤ：Self-ScanningLED）４６が一列に配置された複数のＳＬＥＤチップ４８により構成されており（図３参照）、ＬＥＤアレイ４０全体では、ＬＥＤ４６は、解像度に応じた画素（ドット）数分、例えば、Ａ３サイズ（４２０ｍｍ×２９７ｍｍ）の用紙まで対応し、主走査方向について６００ｄｐｉで印刷する場合には、約７０２０個設けられている。
【００２８】
ＳＬＥＤチップ４８は、各々のＬＥＤ４６の配列方向を主走査方向に一致させて、副走査方向の位置を交互にずらして主走査方向に並べられ（千鳥配置：図４参照）、プリント基板４２に取りつけられている。このように千鳥配置したことにより、高解像度化のためにＬＥＤ４６間ピッチが狭くても、主走査方向に隣接するチップ間で重複を設け、この重複寸法を調節することで、ＬＥＤ４６を所定ピッチで主走査方向に配列可能となっている。なお、各々のＬＥＤ４６の配列方向を主走査方向に一致させて、ＳＬＥＤチップ４８を主走査方向に一列状に配置してもよい。
【００２９】
セルフォックレンズアレイ４４は、結像レンズとして、屈折率分布型のプラスチックロッドレンズが解像度に応じた各画素（ドット）に対応して配列されて構成されており、各ＬＥＤ４６から出射された光ビームを感光体ドラム１２上に結像させる。
【００３０】
このようにＬＥＤ４６は感光体ドラム１２に対して発光するが、形成される画像によっては、各ＬＥＤ４６の温度にばらつきが生じる。具体的には、図５に示されるような画像を形成する場合、画像の上の部分には四角形や楕円などがあり、形成される画像が下の部分と比較して多いため、同図に示されるように、熱分布に偏りが生じる。
【００３１】
この熱分布に示されるように、画像の上の部分に対応するＬＥＤ４６の温度は、画像の下の部分に対応するＬＥＤ４６の温度と比較して高い温度となる。このような各ＬＥＤ４６の温度にばらつきをなくし、均一化された熱分布とするために制御部により実行される処理を、フローチャートを用いて説明する。
【００３２】
以下に説明するフローチャートでは、配列が用いられる。この配列についてまず説明する。本実施の形態における配列は、ａ[ｉ][ｊ]、ｂ[ｉ][ｊ]、Ａ[ｉ]、Ｂ[ｉ]の４つが用いられる。
【００３３】
ａ[ｉ][ｊ]、ｂ[ｉ][ｊ]は、共に０≦ｉ＜ｎ、０≦ｊ＜ｍで定義され、画像を構成する所定の領域（本実施の形態ではドットであるが、画素でも良い）におけるＬＥＤ４６の発光量を数値で示すものである。また、ａ[ｉ][ｊ]、ｂ[ｉ][ｊ]の取り得る値は０からＭであり、０は全く発光しないことを示し、Ｍが予め定められた上限の発光量（以下、最大発光量と記す）で発光することを示している。なお、添え字ｉは、主走査方向に並んでいる各ＬＥＤ４６に（ここではｎ個のＬＥＤ）に対応している。また、添え字ｊは、副走査方向でドットの数に対応し、そのドットにおける発光量を示すために用いられる添え字である。
【００３４】
具体的に例えば、図６に示されるように、ａ[０][ｊ]は、主走査方向に並んでいるＬＥＤ４６の端に存在するＬＥＤ４６の発光量を示し、ａ[ｎ−１][ｊ]は、一方の端に存在するＬＥＤ４６の発光量を示している。
【００３５】
このようにａ[ｉ][ｊ]、ｂ[ｉ][ｊ]は、画像に対応した発光量を示す配列である。特に、ａ[ｉ][ｊ]は、形成対象となる画像を示すと共に該発光量がドット毎に数値で示されている画像情報である。
【００３６】
一方、ｂ[ｉ][ｊ]も同じく発光量を示すものであるが、ｂ[ｉ][ｊ]が示す発光量は、ＬＥＤ４６により発光されてもその発光による画像が紙などの記録媒体に形成されない状態での発光における発光量を示すものである。なお、以下の説明では、上記ａ[ｉ][ｊ]に基づく発光を第１の発光、ｂ[ｉ][ｊ]に基づく発光を第２の発光と記すことがある。なお、発光する順番であるが、第１の発光後に第２の発光をする場合と、逆に第２の発光をした後に第１の発光をするようにしても良い。
【００３７】
また、画像が記録媒体に形成されない状態とは、例えば２枚の紙に画像を形成する場合における１枚目の画像を形成した時点から２枚目の画像を形成する前の時点までの状態がある。或いは、現像器１８の機能を停止した状態や、感光体ドラム１２を回転させないようにした状態でも良く、いずれの場合も後に帯電器１４によって表面が一様に帯電するようにするので、上記状態で発光されてもその発光による画像が紙などの記録媒体に形成されことはない。
【００３８】
以上がａ[ｉ][ｊ]、ｂ[ｉ][ｊ]の説明である。次に、配列Ａ[ｉ]、Ｂ[ｉ]について説明する。この配列は、Ａ[ｉ]＝Σａ[ｉ][ｊ]、Ｂ[ｉ]＝Σｂ[ｉ][ｊ]で定義される。ここで、和の記号Σは、ｊに関する和を求めることを意味する。従って、配列Ａ[ｉ]、Ｂ[ｉ]は、それぞれ各ＬＥＤの第１の発光における発光量（以下、第１の発光量と記す）、又は第２の発光における発光量（以下、第２の発光量と記す）を示すものである。また、ａ[ｉ][ｊ]、ｂ[ｉ][ｊ]の最大値はＭなので、Ａ[ｉ]、Ｂ[ｉ]の最大値はＭｍとなる。
【００３９】
以上説明した点を踏まえ、以下フローチャートについて説明する。図７に示されるフローチャートは、全てのＬＥＤ４６で発光量を等しくする基本的な発光量制御処理を示している。まず、ステップ１０１で、各ＬＥＤ４６での発光量ａ[ｉ][ｊ]に基づきＬＥＤ４６を発光する。ここでの発光は、発光量ａ[ｉ][ｊ]に基づく発光であるため、記録媒体に画像を形成するための発光である。
【００４０】
次のステップ１０２で、各ｉ毎にＡ[ｉ]＋Ｂ[ｉ]＝Ｃ（一定）となるｂ[ｉ][ｊ]を定める。このようなｂ[ｉ][ｊ]は数多く存在するが、この処理で定めるｂ[ｉ][ｊ]は、数多く存在する中の任意のｂ[ｉ][ｊ]で良い。
【００４１】
次のステップ１０３で、上述したような、発光による画像が形成されない状態となったか否か判断する。ステップ１０３で肯定判断すると、ステップ１０４で、先ほど定めたｂ[ｉ][ｊ]に基づきＬＥＤを発光する。
【００４２】
この処理により、全てのＬＥＤ４６における第１の発光量と第２の発光量との和がＣとなるため、各ＬＥＤ４６の温度を均一化することができる。
【００４３】
以上説明した処理では、Ａ[ｉ]＋Ｂ[ｉ]＝Ｃ（一定）となる任意のｂ[ｉ][ｊ]が用いられたが、以下の説明では、特定のｂ[ｉ][ｊ]を定める処理が説明される。まず最初に、画像データが示す各ドットにおける発光量ａ[ｉ][ｊ]に加えたときに最大発光量となる発光量を、各ドットにおける発光量ｂ[ｉ][ｊ]とした画像データである反転画像データを定める処理を、図８のフローチャートを用いて説明する。
【００４４】
この反転画像データとは、例えば図９に示されるように、ｂ[ｉ][ｊ]＝Ｍ−ａ[ｉ][ｊ]としたｂ[ｉ][ｊ]全体を示すデータであり、この反転画像データが示す画像は、同図に示されるように、画像の明暗が反転されている。
【００４５】
この点を踏まえ、図８のフローチャートについて説明する。まず、ステップ２０１で、各ＬＥＤ４６での発光量ａ[ｉ][ｊ]に基づきＬＥＤ４６を発光する。ここでの発光は、発光量ａ[ｉ][ｊ]に基づく発光であるため、記録媒体に画像を形成するための発光である。
【００４６】
次のステップ２０２で、各ｉ、ｊ毎にｂ[ｉ][ｊ]＝Ｍ−ａ[ｉ][ｊ]と定める。次のステップ２０３で、発光による画像が形成されない状態となったか否か判断する。ステップ２０３で肯定判断すると、ステップ２０４で、先ほど定めたｂ[ｉ][ｊ]に基づきＬＥＤを発光する。
【００４７】
なお、ｂ[ｉ][ｊ]＝Ｍ−ａ[ｉ][ｊ]の両辺をｊに関して和をとると、左辺＝Ｂ[ｉ]、右辺＝Ｍｍ−Ａ[ｉ]となる。すなわち、Ａ[ｉ]＋Ｂ[ｉ]＝Ｍｍ（一定）となり、全てのＬＥＤ４６における第１の発光量と第２の発光量との和がＭｍとなるため、各ＬＥＤ４６の温度を均一化することができる。
【００４８】
次の図１０のフローチャートに示される処理は、第１の発光量を各ＬＥＤ４６毎に求め、該発光量を所定の値Ｃ'から減算して得られる発光量を、第２の発光における発光量として前記ＬＥＤ４６を発光するように制御する処理である。
【００４９】
まず、ステップ３０１で、各ＬＥＤ４６での発光量ａ[ｉ][ｊ]に基づきＬＥＤ４６を発光する。ここでの発光は、発光量ａ[ｉ][ｊ]に基づく発光であるため、記録媒体に画像を形成するための発光である。
【００５０】
次のステップ３０２で、Ｂ[ｉ]＝Ｃ'−Ａ[ｉ]をとしてＢ[ｉ]を各ｉ毎定める。ここで、Ｃ'は、Ａ[ｉ]のうち、最も大きいＡ[ｉ]以上で、Ｍｍ以下の定数である。また、ステップ３０２ではＢ[ｉ]を定めるとともに、定まったＢ[ｉ]を満たすｂ[ｉ][ｊ]を定める。次のステップ３０３で、発光による画像が形成されない状態となったか否か判断する。ステップ３０３で肯定判断すると、ステップ３０４で、先ほど定めたｂ[ｉ][ｊ]に基づきＬＥＤを発光する。
【００５１】
なお、Ｂ[ｉ]＝Ｃ'−Ａ[ｉ]であるので、Ａ[ｉ]＋Ｂ[ｉ]＝Ｃ'（一定）となり、全てのＬＥＤ４６における第１の発光量と第２の発光量との和がＣ'となるため、各ＬＥＤ４６の温度を均一化することができる。
【００５２】
次の図１１のフローチャートに示される処理は、第１の発光量を各ＬＥＤ４６毎に求め、該発光量を所定の値Ｃ'から減算して得られる発光量を最大発光量Ｍで除算して得られる商ｑと剰余ｒとを各ＬＥＤ４６毎に求め、前記第２の発光では、前記ＬＥＤ４６を前記商の回数だけ最大発光量で発光させ、前記剰余が示す発光量で前記ＬＥＤ４６を発光させるように制御する処理である。
【００５３】
まず、ステップ４０１で、各ＬＥＤ４６での発光量ａ[ｉ][ｊ]に基づきＬＥＤ４６を発光する。ここでの発光は、発光量ａ[ｉ][ｊ]に基づく発光であるため、記録媒体に画像を形成するための発光である。
【００５４】
次のステップ４０２で、Ｃ'−Ａ[ｉ]＝Ｍｑ＋ｒとなる商ｑ、剰余ｒを各ｉ毎求める。ここで、Ｃ'は、Ａ[ｉ]のうち、最も大きいＡ[ｉ]以上で、Ｍｍ以下の定数である。
【００５５】
そして、ステップ４０３で、
ｂ[ｉ][ｊ]＝Ｍ（０≦ｊ≦ｑ−１）
ｂ[ｉ][ｊ]＝ｒ（ｊ＝ｑ）
ｂ[ｉ][ｊ]＝０（ｑ＜ｊ＜ｍ−１）
とｂ[ｉ][ｊ]を各ｉ毎に定める。次のステップ４０４で、発光による画像が形成されない状態となったか否か判断する。ステップ４０４で肯定判断すると、ステップ４０５で、先ほど定めたｂ[ｉ][ｊ]に基づきＬＥＤを発光する。
【００５６】
なお、上述したｂ[ｉ][ｊ]の定め方から、Σｂ[ｉ][ｊ]＝Ｍｑ＋ｒである。すなわち、Ａ[ｉ]＋Ｂ[ｉ]＝Ｃ'（一定）となり、全てのＬＥＤ４６における第１の発光量と第２の発光量との和がＣ'となるため、各ＬＥＤ４６の温度を均一化することができる。また、第２の発光では、最大発光量でｑ回連続して発光させるため、第２の発光における発光時間を短くすることができる。このことは、例えば次の画像形成の開始を早めることができる。
【００５７】
更に、図１０、図１１で説明したＣ'を、Ａ[ｉ]のうち、最も大きいＡ[ｉ]とすると、第２の発光量は減り、図１１においては商ｑが最も小さい値となるため、第２の発光における発光時間を更に短くすることができる。
【００５８】
次の図１２のフローチャートを用いて説明する発光量制御処理は、ＬＥＤ４６のうち、当該画像形成装置内の他の部品によりＬＥＤ４６の温度が影響されるＬＥＤ４６については、前記第２の発光量を前記影響の度合いを相殺する発光量に制御する処理である。
【００５９】
ここで他の部品とは、例えば図１３に示されるＬＰＨ１６を制御するドライバモジュールであり、このドライバモジュールは、同図に示されるように、ＬＰＨ１６の一部のみに接触するように設けられることがある。この場合、ドライバモジュールが発生する熱により、同図に示されるように偏った熱分布となる。
【００６０】
上記ドライバモジュールのような熱を発生するような部品に限らず、画像形成装置内には、冷却ファンのような冷却するために用いられる部品もある。この冷却ファンによる送風がＬＰＨ１６の一部のみにあたる場合も偏った熱分布となる。
【００６１】
このような他の部品により偏った熱分布となる場合、第２の発光量をその影響の度合いを相殺する発光量に制御する。
【００６２】
具体的には、図１２に示されるように、ステップ５０１で、ｂ[ｉ][ｊ]にｃ[ｉ][ｊ]を加えた値を新たなｂ[ｉ][ｊ]とする。ここで、ｃ[ｉ][ｊ]は、上述した影響の度合いを相殺する発光量を示しており、負の数である場合もある。また、図１２に示される処理は、上述した各フローチャートに挿入されるもので、図７に示されるフローチャートの場合は、ステップ１０２とステップ１０４の間に挿入される。図８に示されるフローチャートの場合は、ステップ２０２とステップ２０４の間に挿入される。図１０に示されるフローチャートの場合は、ステップ３０２とステップ３０４の間に挿入される。図１１に示されるフローチャートの場合は、ステップ４０３とステップ４０５の間に挿入される。
【００６３】
なお、上記ｃ[ｉ][ｊ]は、温度に応じてｃ[ｉ][ｊ]を変化させるテーブルを用意して、そのテーブルを参照するようにしても良いし、温度センサなど温度を検出可能な手段を用いて、検出された温度に対応するようにｃ[ｉ][ｊ]を定めても良い。
【００６４】
以上、本実施の形態で説明した各フローチャートの処理の流れは一例であり、本発明の主旨を逸脱しない範囲内で処理順序を入れ替えたり、新たなステップを追加したり、不要なステップを削除したりすることができることは言うまでもない。
【図面の簡単な説明】
【００６５】
【図１】画像形成装置の全体構成を示す図である。
【図２】ＬＰＨの断面図である。
【図３】ＬＥＤアレイを示す図である。
【図４】ＳＬＥＤチップが副走査方向の位置を交互にずらして設けられている構成を示す図である。
【図５】熱分布に偏りが生じることを示す図である。
【図６】画像と配列との対応を示す図である。
【図７】発光量制御処理を示すフローチャートである（その１）。
【図８】発光量制御処理を示すフローチャートである（その２）。
【図９】反転画像を示す図である。
【図１０】発光量制御処理を示すフローチャートである（その３）。
【図１１】発光量制御処理を示すフローチャートである（その４）。
【図１２】相殺する発光量に第２の発光量を制御する処理を示すフローチャートである。
【図１３】ＬＰＨに他の部品が接触した構成を示す図である。
【符号の説明】
【００６６】
１０  画像形成装置
１２  感光体ドラム
１４  帯電器
１６  ＬＰＨ
１８  現像器
２０  転写ローラ
３０  定着器
４６  ＬＥＤ
【図１】
2008185651.tif 000003
【図２】
2008185651.tif 000004
【図３】
2008185651.tif 000005
【図４】
2008185651.tif 000006
【図７】
2008185651.tif 000007
【図８】
2008185651.tif 000008
【図１０】
2008185651.tif 000009
【図１１】
2008185651.tif 000010
【図１２】
2008185651.tif 000011
【図１３】
2008185651.tif 000012
【図５】
2008185651.tif 000013
【図６】
2008185651.tif 000014
【図９】
2008185651.tif 000015